(57)【要約】【課題】音声出力装置の存在を意識することなく音声を聞くこと。【解決手段】音声出力装置１００は、スラットカーテン１１０を構成する各スラット１１１に、スピーカユニット１２０を設けたことを特徴とする。したがって、音声出力装置１００は、窓枠、天井、壁などに吊り下げられて使用される場合、採光や室内の仕切りとしての機能など、通常のスラットカーテン１１０としての機能を実現しながら、音声を出力することができる。これによって、利用者は、音声出力装置１００の存在を意識することなく音声を聞くことができる。【選択図】図１
2007151028.tif 000002
【特許請求の範囲】
【請求項１】
スラットカーテンを構成する各スラットにスピーカユニットを設けたことを特徴とする音声出力装置。
【請求項２】
前記スピーカユニットは、前記各スピーカユニット間に空隙を形成するように設けられていることを特徴とする請求項１に記載の音声出力装置。
【請求項３】
前記スラットは、前記空隙を伸縮するように摺動自在に設けられていることを特徴とする請求項２に記載の音声出力装置。
【請求項４】
前記スピーカユニットは、前記各スピーカユニットが同一の平面から音声を出力するように設けられていることを特徴とする請求項１〜３のいずれか一つに記載の音声出力装置。
【請求項５】
前記スピーカユニットは、前記スラットごとに音声の出力方向を切替え自在に設けられていることを特徴とする請求項１〜４のいずれか一つに記載の音声出力装置。
【請求項６】
前記スピーカユニットは、前記スラットごとにサイズが異なることを特徴とする請求項１〜５のいずれか一つに記載の音声出力装置。
【請求項７】
前記スラットは、前記スピーカユニットのサイズに応じてサイズが異なることを特徴とする請求項６に記載の音声出力装置。
【発明の詳細な説明】
【技術分野】
【０００１】
この発明は、音声出力装置に関する。ただし、この発明の利用は、前述の音声出力装置に限らない。
【背景技術】
【０００２】
従来、音声を出力するスピーカは、たとえば、ボイスコイル、永久磁石、振動板などによって構成されており、その外観形状は、一般的に箱型形状を有している。このようなスピーカを用いてサラウンド効果を得るためには、利用者を取り囲むように複数のスピーカを配置する。また、スピーカを用いて低音を楽しみたい場合には、別途ウーハーなどを配置する。
【０００３】
また、従来、たとえば、複数のスピーカキャビネット内にそれぞれ高音域用、中音域用、中低音域用および重低音域用のスピーカ自体を設置し、各スピーカキャビネットの正面両側にそれぞれ斜め外向きのポートを設けて広角に出力できるようにし、かつ、その内部に多数層の音響フイルタを設けてスピーカの後向き発振音波の共振周波数を減衰させ、さらに、スピーカキャビネットを上下層に積み重ねて使用できるようにスピーカキャビネットの上下端面にそれぞれ足パッドおよび受座を設けて、各スピーカキャビネットを互いに積み重ねて使用あるいは分散配置して使用できるようにしたキャビネット構造を有する分離型広角サラウンドスピーカシステムがある（たとえば、下記特許文献１参照。）。
【０００４】
【特許文献１】特開２０００−３０８１６９号公報
【発明の開示】
【発明が解決しようとする課題】
【０００５】
しかしながら、上述した特許文献１を含む従来技術では、室内に設置した場合に、スピーカの存在が強調され、利用者が圧迫感を受けるという問題が一例として挙げられる。また、サラウンド効果を得るために複数のスピーカを配置した場合や、低音域の音声を強調するために別途ウーハーを配置した場合、利用者がより一層の圧迫感を受けるという問題が一例として挙げられる。
【課題を解決するための手段】
【０００６】
請求項１の発明にかかる音声出力装置は、スラットカーテンを構成する各スラットにスピーカユニットを設けたことを特徴とする。
【発明を実施するための最良の形態】
【０００７】
以下に添付図面を参照して、この発明にかかる音声出力装置の好適な実施の形態を詳細に説明する。図１は、実施の形態の音声出力装置を示す説明図である。図１に示すように、実施の形態の音声出力装置１００は、スラットカーテン１１０を構成する各スラット１１１に設けられたスピーカユニット１２０を備えている。
【０００８】
まず、スラットカーテン１１０は、複数のスラット１１１を備えている。具体的には、スラットカーテン１１０は、たとえば、ブラインドやシャッターなどである。スラットカーテン１１０における各スラット１１１は、所定方向に沿って断続的に配列されている。これにより、各スラット１１１間には、空隙１１２が形成される。
【０００９】
スラットカーテン１１０は、たとえば、窓に沿って配置して使用することができる。この場合、スラットカーテン１１０に形成された空隙１１２を介して、室外から室内へ採光することができる。窓を開けた場合には、空隙１１２を介して、外気を導入することもできる。また、スラットカーテン１１０は、たとえば、部屋の天井から吊り下げて使用することができる。この場合、スラットカーテン１１０に形成された空隙１１２を介して、部屋全体の様子を把握することができる。
【００１０】
スラット１１１は、スラット１１１の配列方向に沿って摺動自在に設けられていてもよい。この場合、各スラット１１１はそれぞれ独立して摺動してもよいし、ワンアクションですべてのスラット１１１が一斉に摺動してもよい。スラット１１１が摺動された場合、各スラット１１１間に形成される空隙１１２は、スラット１１１の移動方向に応じて伸縮する。
【００１１】
なお、スラットカーテン１１０におけるスラット１１１は、光透過性を有する材料によって形成されていてもよい。この場合、スラット１１１間の空隙１１２の有無に拘わらず、スラットカーテン１１０によって仕切られる２つの空間のうちの一方の空間において、他方の空間からスラットカーテン１１０を介して採光することができる。
【００１２】
また、スピーカユニット１２０とは、音声を出力する部材であり、スピーカおよびアンプを備えている。スピーカユニット１２０における各アンプは、出力する音声の音域、大きさあるいは出力タイミングなどを、それぞれ制御することが可能な構成であってもよい。この場合、各アンプを制御する制御部は、音声出力装置１００と一体に設けられていてもよいし、別体で設けられていてもよい。このようなスピーカユニット１２０は、具体的には、たとえば、ＰＤＳＰ（Ｐｉｏｎｅｅｒ  Ｄｉｇｉｔａｌ  Ｓｏｕｎｄ  Ｐｒｏｃｅｓｓｅｒ：パイオニア株式会社製）を用いることが可能である。
【００１３】
スピーカユニット１２０は、各スピーカユニット１２０間に空隙１１２を形成するように設けられている。単一のスラット１１１に複数のスピーカユニット１２０が設けられている場合には、単一のスラット１１１における各スピーカユニット１２０間に空隙（符号省略）を形成してもよい。
【００１４】
スピーカユニット１２０は、各スピーカユニット１２０が同一の平面から音声を出力するように設けられている。具体的には、スピーカユニット１２０が備えるスピーカが同一の平面内に位置するように、各スピーカユニット１２０を配列する。音声を出力する面は、上述したスラットカーテン１１０におけるスラット１１１によって形成される面に平行あるいは同一の面である。
【００１５】
スピーカユニット１２０から出力される音声の出力方向は、スラット１１１ごとに切替え自在であってもよい。具体的には、たとえば、スラットの表裏を切替えるように、スラット１１１を回転自在な構成とする。これにより、一部のスラット１１１を回転させて音声を出力する方向を切替え、スラットカーテン１１０を間にする２つの空間のいずれにも音声を出力することができる。
【００１６】
スピーカユニット１２０は、スラット１１１ごとにサイズが異なっていてもよい。スピーカユニット１２０のサイズは、たとえば、出力する音声の音域に応じて異なる。具体的には、たとえば、低音域の音声を出力するスピーカユニット１２０ほど、サイズを大きくする。この場合、スピーカユニット１２０のサイズは、スラット１１１の配列方向にサイズアップさせることが望ましい。
【００１７】
スラット１１１は、スピーカユニット１２０のサイズに応じてサイズが異なっていてもよい。具体的には、サイズの大きいスピーカユニット１２０が設けられるスラット１１１は、スピーカユニット１２０のサイズに応じて大きくする。スラット１１１は、スピーカユニット１２０の重量に応じてサイズが異なっていてもよい。また、単一のスラット１１１に複数のスピーカユニット１２０が設けられている場合、スラット１１１は、スピーカユニット１２０の個数に応じてサイズが異なっていてもよい。
【００１８】
スラットカーテン１１０は、たとえば、簾のように、巻き上げ自在かつ繰り出し自在であってもよい。たとえば、スラットカーテン１１０においてスラット１１１の配列方向の端部に位置するスラット１１１を軸心として、このスラット１１１周りに巻き上げ自在とする。この場合、巻き上げられた複数のスラット１１１のうち、外周部に位置するスラットカーテン１１０の端部を引っ張ることによって、連結された他のスラット１１１を順次引き出すことができる。これによって、スラットカーテン１１０が繰り出される。スラットカーテン１１０の巻き上げおよび繰り出しは、利用者の手作業によっておこなってもよいし、電動式にするなどして自動でおこなってもよい。
【００１９】
上述したように、実施の形態の音声出力装置１００によれば、スラットカーテン１１０を構成する各スラット１１１にスピーカユニット１２０が設けられているため、音声出力装置１００をスラットカーテン１１０と同様に扱うことができる。したがって、音声出力装置１００は、窓枠、天井、壁などに吊り下げられた場合に、スラットカーテン１１０と同様の機能を実現しながら、音声を出力することができる。これによって、利用者は、音声出力装置１００の存在を意識することなく音声を聞くことができる。
【００２０】
また、実施の形態の音声出力装置１００によれば、スピーカユニット１２０間に空隙１１２が形成されているため、スラットカーテン１１０によって仕切られる２つの空間において、光や音などを空隙１１２を介してやり取りすることができる。したがって、音声出力装置１００は、スラットカーテン１１０によって仕切られる２つの空間のうちの一方の空間の様子を、他方の空間にいる利用者に伝えることができる。これによって、利用者は、音声出力装置１００の向こう側にある雰囲気を感じ取ることができ、圧迫感や閉塞感を感じることなく音声を聞くことができる。
【００２１】
また、実施の形態の音声出力装置１００によれば、スラット１１１は摺動自在に設けられているため、スラット１１１を摺動させることによって空隙１１２のサイズを調節することができる。したがって、音声出力装置１００は、空隙１１２のサイズによって採光量を調節するなどのスラットカーテン１１０としての機能を実現しながら、音声を出力することができる。これによって、利用者は、スラットカーテン１１０としての機能を利用しながら音声を聞くことができる。
【００２２】
また、実施の形態の音声出力装置１００によれば、スピーカユニット１２０は、各スピーカユニット１２０が同一の平面から音声を出力するように設けられているため、たとえば、窓、壁、天井などの平面に沿って配置することができる。したがって、音声出力装置１００は、音声出力装置１００を配置したことによって、たとえば、窓、壁、天井などの形状から受ける印象を大きく変えることなく、音声を出力することができる。これによって、利用者は、音声出力装置１００を設置したことによる違和感を覚えることなく音声を聞くことができる。
【００２３】
また、実施の形態の音声出力装置１００によれば、スピーカユニット１２０は、音声の出力方向をスラット１１１ごとに切替え自在に設けられているため、スラット１１１ごとに出力方向を異ならせることができる。したがって、音声出力装置１００は、複数の方向へ音声を出力することができる。これによって、利用者は、スラットカーテン１１０によって仕切られる２つの空間において、同じ音声を聞くことができる。
【００２４】
また、実施の形態の音声出力装置１００によれば、スピーカユニット１２０は、スラット１１１ごとにサイズが異なるため、出力する音声の音域に応じたサイズのスピーカユニット１２０を採用することができる。したがって、音声出力装置１００は、幅広い音域の音声を出力することができる。これによって、利用者は、音声出力装置１００の存在を意識することなく、幅広い音域の音声を聞くことができる。
【００２５】
また、実施の形態の音声出力装置１００によれば、スラット１１１は、スピーカユニット１２０のサイズに応じてサイズが異なるため、出力する音声の音域に左右されることなくスピーカユニット１２０を安定して支持することができる。したがって、音声出力装置１００は、安定して幅広い音域の音声を出力することができる。これによって、利用者は、安心して幅広い音域の音声を聞くことができる。
【００２６】
また、実施の形態の音声出力装置１００によれば、スラットカーテン１１０は、巻き上げ自在かつ繰り出し自在であるため、たとえば、利用者の状況に応じて形態を変えることができる。したがって、たとえば、不使用時に巻き上げて、使用時のみに繰り出して使用することができる。これによって、利用者は、スラットカーテン１１０としての機能を享受しながら音声を聞くことができる。
【実施例１】
【００２７】
つぎに、上述した実施の形態にかかる実施例１について説明する。この実施例１は、上述した実施の形態の音声出力装置１００を、室内に設置されるスピーカに適用した例である。はじめに、実施例１のスピーカの外観について説明する。図２は、実施例１のスピーカを示す説明図である。図２において、スピーカ２００は、スラットカーテン２０１を構成する複数のスラット２０２と、スラット２０２を支持する支持フレーム２０３と、スラット２０２に設けられたスピーカユニット２０４と、を備えている。
【００２８】
まず、スラット２０２について説明する。スラットカーテン２０１における各スラット２０２は、一方向に長い長手形状を有している。各スラット２０２には、図示しないスピーカおよびアンプを備えるスピーカユニット２０４が、それぞれ複数設けられている。スラット２０２は、スラット２０２の長手方向を平行に揃えた状態で、複数並べて配列されている。スラット２０２は断続的に配列されており、これにより各スラット２０２間には空隙２０５が形成されている。スピーカ２００を間にして紙面手前側の空間と紙面奥側の空間とは、空隙２０５を介してつながっている。
【００２９】
つぎに、支持フレーム２０３について説明する。支持フレーム２０３は、四方を囲む枠型の外形を有している。支持フレーム２０３は、スラット２０２の長手方向に沿って対向する一対の支柱２０６の間に、スラット２０２を挟持することによって、スラット２０２を支持する。
【００３０】
具体的には、たとえば、各スラット２０２における長手方向の両端部に、支柱２０６に向けて突出する図示しない凸部を設ける。一方、支柱２０６には、各スラット２０２の両端部に設けられた凸部と嵌合する図示しない凹部を、支柱２０６の延出方向に沿って複数設ける。これによって、凸部と凹部とを嵌合させることにより、スラット２０２を所定の位置で支持することができる。この場合、支柱２０６の延出方向における各スラット２０２の位置は、支柱２０６の延出方向における凹部の位置によって決定される。
【００３１】
また、支持フレーム２０３は、スラット２０２の長手方向を軸心方向とする仮想軸回りに回転自在となるように、スラット２０２を支持する。具体的には、たとえば、上述したように、各スラット２０２に設けられた凸部と支柱２０６に設けられた凹部とを嵌合させることによってスラット２０２を支持する場合、各スラット２０２において凸部と凹部との嵌合点を通る直線を軸心として、この軸心回りにスラット２０２を回転させることができる。
【００３２】
スラット２０２は、それぞれ個別に回転させることができる。これにより、一部のスラット２０２だけを回転させることができる。ここで、図３は、スピーカ２００の一部を示す斜視図である。図３においては、一部のスラット２０２を回転させた状態が示されている。図３に示すように、回転されたスラット３０１に設けられたスピーカユニット２０４のスピーカは、回転される前のスピーカに対して１８０度反対方向に配向されている。これにより、回転されたスラット３０１に設けられたスピーカユニット２０４は、回転される前のスラット２０２に設けられたスピーカユニット２０４に対して１８０度反対方向に音声を出力する。
【００３３】
また、支持フレーム２０３は、各スラット２０２が支柱２０６の延出方向に沿って摺動自在となるように、スラット２０２を支持する。具体的には、たとえば、支柱２０６の延出方向に沿って延出する図示しないレールを支柱２０６に形成する。これによって、各スラット２０２の両端部をレールに沿って誘導することにより、スラット２０２を支柱２０６の延出方向に沿って摺動させることができる。
【００３４】
ここで、たとえば、上述したように、各スラット２０２に設けられた凸部と支柱２０６に設けられた凹部とを嵌合させることによってスラット２０２を支持する場合、スラット２０２に対して所定以上の大きさの外力が加えられた場合に、凸部と凹部との嵌合が解除されるような構造としてもよい。具体的には、たとえば、凸部あるいは支柱２０６を形成する材料が有する弾性力を利用して、凸部あるいは支柱２０６を弾性変形させることによって凸部と凹部との嵌合を解除させることができる。
【００３５】
なお、図２中図示を省略するが、スピーカ２００は、スラット２０２回転および摺動させる駆動力を発生させるモータ（図５参照）、および、モータの駆動力を各スラット２０２へ伝達する駆動力伝達機構を備えている。
【００３６】
また、支持フレーム２０３は、たとえば、プラスチックやガラスなどのように、光学的に透明な材料によって形成されている。支持フレーム２０３には、各スピーカユニット２０４に対して電源および制御信号を供給するための配線（図４参照）が設けられている。この配線もまた、プラスチックやガラスなどのように、光学的に透明な材料によって形成されている。
【００３７】
支持フレーム２０３には、各スラット２０２に対応する位置に、フレーム側接点（図４参照）が設けられている。フレーム側接点は、支柱２０６によってスラット２０２を支持することにより、各スラット２０２に設けられたＳＰ側接点（図４参照）と電気的に接触し、配線を介して供給される電源および制御信号を、スラット２０２単位でスピーカユニット２０４へ分配する。
【００３８】
各スラット２０２は、それぞれを識別する識別コードが割り振られており、配線を介して供給される制御信号は、この識別コードに基づいて、目的とするスラット２０２へ分配される。この場合、フレーム側接点とＳＰ側接点とが接触する位置にスラット２０２を位置づけることで、スラット２０２を支柱２０６の延出方向に沿って摺動させた場合にも、フレーム側接点の位置に拘わらず、目的とするスラット２０２へ制御信号を分配することができる。
【００３９】
なお、各フレーム側接点に対してそれぞれを識別する識別コードを割り振り、各フレーム側接点の位置に基づいて、配線を介して供給される制御信号を、目的とするスピーカユニット２０４へ分配するようにしてもよい。この場合、各フレーム側接点に接触するＳＰ側接点が設けられたスラット２０２の違いに拘わらず、ＳＰ側接点が接触するフレーム側接点の位置に応じて、制御信号が分配される。
【００４０】
また、各フレーム側接点と各スラット２０２とをそれぞれ対応付けて、特定のスラット２０２に設けられたＳＰ側接点が、特定のフレーム側接点に接触する場合に、配線を介して供給される制御信号を、目的とするスラット２０２へ分配するようにしてもよい。この場合、各スラット２０２が所定の位置に位置づけられている場合に限って、当該スラット２０２に設けられたスピーカユニット２０４を制御して音声を出力させることができる。これにより、たとえば、出力する音声の音域を限定したスピーカユニット２０４を用いる場合にも、各スピーカユニット２０４に応じた制御を確実におこなうことができる。
【００４１】
つぎに、スピーカユニット２０４について説明する。スピーカユニット２０４は、スラット２０２ごとに複数設けられており、図示しないスピーカとアンプとをそれぞれ備えている。スピーカユニット２０４は、スピーカが同一の平面上に位置するように配列されている。図２において、スピーカ２００の紙面手前側の面には、すべてのスピーカユニット２０４を覆うようにして、ＳＰグリルネット（図４参照）が設けられている。ＳＰグリルネットは、さらに、図２中スピーカ２００の紙面背面側の面を覆うように設けられていてもよい。
【００４２】
また、スピーカユニット２０４は、出力する音声の音域に応じて異なるサイズを有している。具体的には、スピーカユニット２０４のサイズは、より低音域の音声を出力するスピーカユニット２０４ほど大きい。スピーカユニット２０４としては、具体的には、たとえば、ＰＤＳＰ（Ｐｉｏｎｅｅｒ  Ｄｉｇｉｔａｌ  Ｓｏｕｎｄ  Ｐｒｏｃｅｓｓｅｒ：パイオニア株式会社製）に用いられる技術を適用することが可能である。以下、実施例１においては、ＰＤＳＰに用いられる技術を適用したスピーカユニット２０４について説明する。
【００４３】
ここで、スピーカユニット２０４の構造について説明する。図４は、スピーカユニット２０４の構造を示す断面図である。図４においては、スピーカユニット２０４を、スラット２０２の長手方向に沿って断面した断面図が示されている。スピーカユニット２０４は、ＰＤＳＰユニット４０１と、ＳＰ配線４０２と、ＳＰキャビネット４０３と、を備えている。
【００４４】
ＰＤＳＰユニット４０１は、永久磁石、振動板、ボイスコイル、アンプなどを内蔵しており、アンプによって拡声された音声信号を音声としてスピーカ４０４から出力する（図５参照）。具体的には、ＰＤＳＰユニット４０１は、電気信号である音声信号をボイスコイルに入力することで磁力を発生させ、ボイスコイルの周囲に位置づけられた永久磁石による磁界との間の作用を用いて振動板を振幅させて空気を振動させることで音声を出力する。
【００４５】
ＳＰ配線４０２は、アンプとＳＰ側接点４０５とを接続する。ここで、ＳＰ側接点４０５は、スラット２０２ごとに設けられており、スラット２０２が支柱２０６によって支持されている状態で、フレーム側接点４０６と接触する。これにより、ＳＰ側接点４０５とフレーム側接点４０６とが、電気的に接続される。なお、図示を省略するが、上述した配線は、図４中紙面表裏方向に沿って設けられている。
【００４６】
ＳＰキャビネット４０３は、ＰＤＳＰユニット４０１やＳＰ配線４０２を収容する。ＳＰキャビネット４０３において、スピーカ４０４が位置する部分には開口部４０７が設けられている。図４中、符号４０８は、上述したＳＰグリルネットを示している。
【００４７】
つぎに、スピーカ２００が備える各部の電気的接続について説明する。図５は、スピーカ２００が備える各部の電気的接続を示すブロック図である。図５において、スピーカ２００は、ＣＰＵ５０１と、ＲＯＭ５０２と、ＲＡＭ５０３と、通信Ｉ／Ｆ５０４と、Ｄ／Ａ変換回路５０５と、アンプ５０６と、ボイスコイル５０７と、モータ５０８と、を備えている。図示を省略するが、Ｄ／Ａ変換回路５０５、アンプ５０６およびボイスコイル５０７は、ＰＤＳＰユニット４０１ごとに設けられている。
【００４８】
ＣＰＵ５０１は、スピーカ２００の全体の制御を司る。ＲＯＭ５０２は、各種の制御プログラムを記録している。また、ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種の情報を参照しながら各種のプログラムを実行することによって、スピーカ２００の全体の制御を司る。
【００４９】
また、ＲＯＭ５０２は、各スラット２０２の摺動や回転を制御する際に用いられる制御データを記憶する。具体的には、たとえば、上述したように、各スラット２０２に割り振られた識別コードに基づいて制御信号を分配する場合、ＲＯＭ５０２は、各スラット２０２の識別コードおよびスラット２０２の配列順序を示す制御データを記憶する。これに対し、各フレーム側接点の位置に基づいて制御信号を分配する場合、ＲＯＭ５０２は、各フレーム側接点の識別コードおよび支柱２０６の延出方向における各フレーム側接点の配列順序を示す制御データを記憶する。
【００５０】
さらに、各フレーム側接点と各スラット２０２とをそれぞれ対応付けて、特定のスラット２０２に設けられたＳＰ側接点が、特定のフレーム側接点に接触する場合に、制御信号をスピーカユニット２０４へ分配する場合、ＲＯＭ５０２は、各スラット２０２の識別コードと、各フレーム側接点の識別コードおよび支柱２０６の延出方向における各フレーム側接点の配列順序とを示す制御データを記憶する。
【００５１】
ＲＯＭ５０２において、制御データには、コンテンツに関する情報が関連付けられている。コンテンツに関する情報としては、たとえば、出力する音声のジャンルを示す情報が挙げられる。具体的には、たとえば、『クラッシック』、『Ｊ−ＰＯＰ』、『（子供向けの）物語』などのジャンルが挙げられる。ＣＰＵ５０１は、ＲＯＭ５０２に記憶された制御データに関連付けられた情報を参照して、各スラット２０２の位置および音声出力方向を調整する。
【００５２】
たとえば、出力する音声のジャンルが『クラッシク』である場合、ＣＰＵ５０１は、コンサート会場にいるかの如く、利用者の四方から音声が聞こえるように、各スラット２０２の位置および音声出力方向を調整する。また、たとえば、出力する音声のジャンルが『（子供向けの）物語』である場合、ＣＰＵ５０１は、話して聞かせかの如く、利用者の正面から音声が出力されるように、各スラット２０２の位置および音声出力方向を調整する。
【００５３】
通信Ｉ／Ｆ５０４は、たとえば、図示しないリモコンなどを用いた入力操作を介して入力された各種指示を受信する。具体的には、たとえば、音声出力の指示や、スラット２０２の配置に関する指示などを受信する。スラット２０２の配置に関する指示は、支柱２０６の延出方向に沿ったスラット２０２の摺動を指示するものであってもよいし、定位置におけるスラット２０２の回転を指示するものであってもよい。
【００５４】
たとえば、通信Ｉ／Ｆ５０４によってスラット２０２の配置に関する指示が受信された場合、ＣＰＵ５０１は、当該指示に応じてモータ５０８を駆動制御して、各スラットを摺動させたり回転させたりする。各スラットの摺動や回転に際して、ＣＰＵ５０１は、ＲＯＭ５０２に記憶された制御データを参照する。
【００５５】
また、通信Ｉ／Ｆ５０４は、たとえば、ケーブルや無線通信などを介して、ＣＤプレイヤーなどの音声信号供給装置に接続され、音声信号供給装置から送信された音声信号を受信する。ＣＰＵ５０１は、通信Ｉ／Ｆ５０４によって受信された音声信号に基づいて、出力する音声の質や出力タイミングを加味したデジタル信号を生成し、生成したデジタル信号を該当するＰＤＳＰユニット４０１におけるＤ／Ａ変換回路５０５へ出力する。
【００５６】
Ｄ／Ａ変換回路５０５は、ＣＰＵ５０１から出力されたデジタル信号をアナログ信号に変換してアンプ５０６へ出力する。アンプ５０６は、Ｄ／Ａ変換回路５０５から出力されたアナログ信号を増幅して、ボイスコイル５０７へ出力する。ボイスコイル５０７は、アンプ５０６から出力されたアナログ信号に応じた振幅で振動し、これによって音声が出力される。
【００５７】
なお、ＣＰＵ５０１、ＲＯＭ５０２、ＲＡＭ５０３、通信Ｉ／Ｆ５０４などの、ＰＤＳＰユニット４０１の制御に関わる各部は、支持フレーム２０３などに設けることでスピーカ２００と一体化されていてもよいし、別体としてケーブルなどを介して接続されるものであってもよい。
【００５８】
つぎに、スピーカ２００の使用例について説明する。図６は、スピーカ２００の使用例を示す説明図である。図６においては、スピーカ２００を、窓枠６０１に吊り下げた使用例が示されている。この場合、太陽光など、窓６０２を介してスピーカ２００に照射された光のうち、空隙２０５を通過した光が室内へ入射する。窓６０２が開放されている場合には、空隙２０５を介して外気を室内へ導入することができる。
【００５９】
これによって、室内に照射される太陽光をやわらげることができる。スラット２０２を摺動させて空隙２０５の大きさを調整することにより、採光量を調節することができる。たとえば、すべてのスラット２０２を一端側へ寄せることで、１つの大きな空隙２０５を確保することもできる。一部のスラット２０２を回動させ、スピーカ４０４を室外へ向けることで、室内および室外に音声を出力することができる。
【００６０】
図示を省略するが、スピーカ２００を、天井の任意の位置に吊り下げて使用する場合、スピーカ２００を間にして室内を２つの空間に仕切ることができる。この場合、スピーカ２００を間にする２つの空間のうちの一方の空間にいる利用者は、他方の空間の様子を空隙２０５を介して把握することができる。具体的には、一方の空間にいる利用者は、たとえば、他方の空間の間取りや音や他方の空間でおこなわれていることなどを、空隙２０５を介して知ることができる。
【００６１】
一方の空間にいる利用者は、スラット２０２を摺動させ空隙２０５を広げることで、他方の空間の様子を詳細に知ることができる。また、一部のスラット２０２を回動させ、スピーカ２００を間にする２つの空間の双方にスピーカ４０４を向けることで、スピーカ２００を間にする２つの空間の双方に音声を出力することができる。これによって、２つの空間のいずれの空間にいる利用者も、遜色なく良好な音声を享受することができる。
【００６２】
上述したように、実施例１のスピーカ２００によれば、スラットカーテン２０１を構成する各スラット２０２にスピーカユニット２０４が設けられているため、スピーカ２００をスラットカーテン２０１と同様に扱うことができる。したがって、スピーカ２００は、窓枠６０１、天井、壁などに吊り下げられた場合、採光や室内の仕切りとしての機能などスラットカーテン２０１と同様の機能を実現しながら、音声を出力することができる。これによって、利用者は、スピーカ２００の存在を意識することなく音声を聞くことができる。
【００６３】
また、実施例１のスピーカ２００によれば、スピーカユニット２０４間に空隙２０５が形成されているため、スラットカーテン２０１を間にする２つの空間において、光や音などを空隙２０５を介してやり取りすることができる。したがって、スピーカ２００は、スラットカーテン２０１によって仕切られる２つの空間のうちの一方の空間の様子を、他方の空間にいる利用者に伝えることができる。これによって、利用者は、スピーカ２００の向こう側にある雰囲気を感じ取ることができ、圧迫感や閉塞感を感じることなく音声を聞くことができる。
【００６４】
また、実施例１のスピーカ２００によれば、スラット２０２が支柱２０６の延出方向に沿って摺動自在に設けられているため、スラット２０２を摺動させることによって空隙２０５のサイズを調節することができる。したがって、スピーカ２００は、空隙２０５の大きさによって採光量を調節するなどのスラットカーテン２０１としての機能を発揮しながら、音声を出力することができる。これによって、利用者は、スラットカーテン２０１としての機能を利用しながら音声を聞くことができる。
【００６５】
また、実施例１のスピーカ２００によれば、たとえば、使用形態に応じてスラット２０２を適切な位置に摺動させるなど、スラット２０２のレイアウトの自由度を向上させることができる。これによって、利用者は、好みや用途に応じてスラット２０２を自由にレイアウトすることができる。また、たとえば、不使用時には、すべてのスラット２０２を上側あるいは下側にまとめることで、不使用時に際してのスピーカ２００から受ける圧迫感をより軽減することができる。これによって、利用者は、スラットカーテン２０１としての機能を享受しながら音声を聞くことができる。
【００６６】
また、実施例１のスピーカ２００によれば、スピーカユニット２０４は、各スピーカユニット２０４が同一の平面から音声を出力するように設けられているため、たとえば、窓６０２、壁、天井などの平面に沿って配置することができる。したがって、スピーカ２００は、スピーカ２００を配置したことによって、たとえば、窓６０２、壁、天井などの形状から受ける印象を大きく変えることなく、音声を出力することができる。これによって、利用者は、スピーカ２００を設置したことによる違和感を覚えることなく音声を聞くことができる。
【００６７】
また、実施例１のスピーカ２００によれば、スピーカユニット２０４は、音声の出力方向をスラット２０２ごとに切替え自在に設けられているため、スラット２０２ごとに出力方向を異ならせることができる。したがって、スピーカ２００は、複数の方向へ音声を出力することができる。これによって、利用者は、スラットカーテン２０１によって仕切られる２つの空間において、スピーカ２００を設置したことによる圧迫感や閉塞感を感じることなく、同じ音声を聞くことができる。
【００６８】
また、実施例１のスピーカ２００によれば、スピーカユニット２０４は、スラット２０２ごとにサイズが異なるため、出力する音声の音域に応じたサイズのスピーカユニット２０４を採用することができる。したがって、スピーカ２００は、幅広い音域の音声を出力することができる。これによって、利用者は、スピーカ２００の存在を意識することなく、幅広い音域の音声を聞くことができる。
【００６９】
また、実施例１のスピーカ２００によれば、スラット２０２は、スピーカユニット２０４のサイズに応じてサイズが異なるため、出力する音声の音域に左右されることなくスピーカユニット２０４を安定して支持することができる。したがって、スピーカ２００は、安定して幅広い音域の音声を出力することができる。これによって、利用者は、安心して幅広い音域の音声を聞くことができる。
【実施例２】
【００７０】
つぎに、上述した実施の形態にかかる実施例２について説明する。この実施例２は、上述した実施の形態の音声出力装置１００を、ディスプレイ装置に適用した例である。なお、上述した実施例１と同一部分は同一符号で示し、説明も省略する。図７は、実施例２のスピーカの外観を示す正面図である。
【００７１】
図７において、ディスプレイ装置７００は、スラットカーテン２０１を構成する複数のスラット２０２と、スラット２０２を支持する支持フレーム２０３と、スラット２０２に設けられたスピーカユニット２０４と、ディスプレイ７０１と、を備えている。ディスプレイ７０１は、たとえば、プラズマディスプレイ、液晶ディスプレイ、有機ＥＬディスプレイなどの薄型のディスプレイを用いる。
【００７２】
図示を省略するが、ディスプレイ装置７００は、図５に示した各部に加えて、ディスプレイ７０１を駆動制御する映像Ｉ／Ｆを備えている。映像Ｉ／Ｆは、ディスプレイ７０１と接続される。映像Ｉ／Ｆは、具体的には、たとえば、ディスプレイ７０１全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７０１を表示制御する制御ＩＣなどによって構成される。
【００７３】
また、ＲＯＭ５０２が記憶する制御データには、ディスプレイ７０１に表示するコンテンツに関する情報が関連付けられている。コンテンツに関する情報としては、たとえば、ディスプレイ７０１に表示するコンテンツのジャンルを示す情報が挙げられる。たとえば、『スポーツ』というジャンルに分類されるコンテンツであれば、観客席に座っている、あるいは、試合場にいるか如くに、利用者の周囲から音声が聞こえるように、ＣＰＵ５０１は、各スラット２０２の位置および音声の出力方向を調整する。たとえば、『ニュース』というジャンルに分類されるコンテンツであれば、ニュースキャスターが目の前にいるかの如くに、利用者の正面から音声が聞こえるように、ＣＰＵ５０１は、各スラット２０２の位置および音声の出力方向を調整する。
【００７４】
コンテンツに関する情報は、コンテンツのジャンルごとに設定されていてもよいし、コンテンツごとに設定されていてもよい。たとえば、同じ『ニュース』というジャンルに分類されるコンテンツであっても、スタジオから放送されるニュースを主体とするコンテンツであるのか、中継を主体とするコンテンツであるのかに応じて、各スラット２０２の位置および音声の出力方向を調整するようにしてもよい。
【００７５】
上述したように、実施例２のディスプレイ装置７００によれば、ディスプレイ装置７００を間にする２つの空間の雰囲気を、空隙２０５を介して互いに共有することができる。したがって、表示面積の大きいディスプレイ７０１を用いる場合にも、ディスプレイ装置７００を設置することによる圧迫感を低減することができる。
【００７６】
以上説明したように、実施例１のスピーカ２００および実施例２のディスプレイ装置７００によれば、利用者は、スピーカ２００およびディスプレイ装置７００の存在を意識することなく音声を聞くことができる。
【図面の簡単な説明】
【００７７】
【図１】実施の形態の音声出力装置を示す説明図である。
【図２】実施例１のスピーカを示す説明図である。
【図３】スピーカの一部を示す斜視図である。
【図４】スピーカユニットの構造を示す断面図である。
【図５】スピーカが備える各部の電気的接続を示すブロック図である。
【図６】スピーカの使用例を示す説明図である。
【図７】実施例２のスピーカの外観を示す正面図である。
【符号の説明】
【００７８】
１００  音声出力装置
１１０  スラットカーテン
１１１  スラット
１２０  スピーカユニット
【図１】
2007151028.tif 000003
【図２】
2007151028.tif 000004
【図３】
2007151028.tif 000005
【図４】
2007151028.tif 000006
【図５】
2007151028.tif 000007
【図６】
2007151028.tif 000008
【図７】
2007151028.tif 000009